Podtech/llm-jp-corpus-v4-ja_patent huggingface dataset:
(57)【要約】      （修正有）【課題】口径の違う香炉に対応でき、一つのヘラで、たまったゴミや線香を取り除いたり、火だねの整理や線香の移動が可能な香炉用ヘラを提供する。【解決手段】形状を三角形にし、２辺の長さをそれぞれ線香の長さの二等分と三等分の長さとすることにより、口径の違う香炉にそれぞれ対応でき、かつ線香を等分に折る目安にできるようにした。また、すだれ状の隙間４をつけることにより、香炉の中の灰をこしやすくし不純物を取り除きやすくした。また、先端５を曲げることにより、香炉の中の線香や火だねの整理をしやすくした。【選択図】図１
0003204599.tif 000002
【実用新案登録請求の範囲】
【請求項１】
三角形の香炉用ヘラにすだれ状の隙間をあけた香炉用へら
【請求項２】
三角形のへらに角の先端を曲げた香炉用ヘラ
【考案の詳細な説明】
【技術分野】
【０００１】  本考案は、香炉の中の灰を平すことと香炉の中を掃除することのできる香炉用のへらに関するものである。
【背景技術】
【０００２】従来、香炉用のへらは網状かヘラに複数の穴をあけた灰こし器があった。
【先行技術文献】
【特許文献】
【０００３】
【特許文献１】特開２０１３−８５９４２
【非特許文献】
【０００４】
【非特許文献１】若林仏具店カタログ
【考案の概要】
【考案が解決しようとする課題】
【０００５】  解決しようとする問題点は、香炉の中の燃え残りの線香などを取り除いたり、灰をならすのに、香炉の口径がヘラの大きさに合わなかったり、灰こし器に複数の穴を開けたもので、灰が詰まりやすかった。
また、香炉の中の線香をつまんだり移動したりするとき、指に灰がついた。
また、線香を２等分または３等分するのに目安となる長さがなかった。
【課題を解決するための手段】
【０００６】  上記課題を解決するために、ヘラの形を三角形にし、２辺の長さを一般的な線香の長さの二等分と三等分の長さと同じ辺の長さにした。
また、ヘラにすだれ状の隙間を取り付けた
また、角の一カ所の先端を曲げた。
【考案の効果】
【０００７】  今まで使用出来なかった口径の違う香炉にそれぞれ機能的対応できる。
線香を二等分又は三等分するための目安として、ヘラの辺が利用できる。
一つのヘラでたまったゴミや線香などを取り除いたり、火だねの整理や線香の移動をすることができる。
【図面の簡単な説明】
【０００８】
【図１】図１は香炉用ヘラの上部より見た全体図である。
【図２】図２は図１のＡからＢの横断面図である。
【図３】図３は香炉用ヘラの三角形の一番小さい辺を使用した場合の実施方法を示した使用説明図である。
【図４】図４は香炉用ヘラの曲げた先端の実施方法を示した使用説明図である。
【考案を実施するための形態】
【０００９】  三角形の一つのへらで大きさの違う香炉に合った使用ができ、香炉の中の不純物の取り除き、火だねの整理、線香を折る為の計りなど様々な使用ができるようにした。
【実施例】
【００１０】  図１は本考案の全体図である。
ヘラの形状を図１のように三角形にすることにより、口径の違うそれぞれの香炉の灰を平すのに使い勝手の良い辺で灰を平せる。
また、ヘラの２辺１と２を一般的な線香の長さ１４センチに対し三分の一の４，６センチと半分の７センチにすることにより、線香を等分に折る目安とすることができる。
図２は図１のＡからＢの切断図である。
図３により使用方法を説明する。
小さい口径の香炉には、小さい辺１をつかって香炉の灰や香炉の中の線香を整える。  灰の中にすだれ状の灰こし器４を入れ、灰と一緒に灰の中の線香を掬い上げたり、灰とゴミを一緒に掬い軽く振ると隙間から灰が落ち、残ったごみを捨てることができる実施方法である。
図４により使用方法を説明する。
ヘラの先端５を曲げることにより、火だねの整理をしたり、灰の中に残った線香の残りなどを拾い上げたり、線香を所定の位に移動できる。
【産業上の利用可能性】
【００１１】香炉の口径によって使い勝手の良い辺で灰を平すことができる
灰の中のゴミを掬ったり香炉の中の線香や香炭の移動を一つのヘラで使用出来る。
【符号の説明】
【００１２】１    ヘラの最小の一辺
２    ヘラの別の一辺
３    ヘラ本体
４    すだれ状の隙間
５    火だねや線香を整理するヘラの先端
６    香炉
７    線香
【図１】
0003204599.tif 000003
【図２】
0003204599.tif 000004
【図３】
0003204599.tif 000005
【図４】
0003204599.tif 000006
(57)【要約】      （修正有）【課題】従来の尺八の軽量化を図り、演奏者への負担を軽減した軽尺八を提供する。【解決手段】管体３の管尾５に備わる、根茎の塊を廃除し、軽量化を目的とし、管体３全長の外径を、同一の竹幹材で改作した。【選択図】図１
0003204591.tif 000002
【実用新案登録請求の範囲】
【請求項１】
管体の管尾に備わる、根茎の塊を廃除し、軽量化を目的とした、特徴の軽尺八。
【請求項２】
上記、管体全長の外径を、同一の竹幹材で改作した、請求項１記載の軽尺八。
【請求項３】
材料は、竹材、木材、プラスチック、合成樹脂材、金属、又は、陶器、ガラスで施工する、請求項１又は２記載の軽尺八。
【考案の詳細な説明】
【考案の詳細な説明】
【技術分野】
【０００１】本考案は、竹根茎の造形を廃除して、軽量化した軽尺八に関する。
【背景技術】
【０００２】従来の尺八は、管尾を竹根茎の塊で造形して、武器に用いた時代があり、歴史を裏付ける象徴でもあるが、荷物になる遺物である。【０００３】従来型尺八を作るには、竹材の規格と形状が必須要件であり、根茎が備わる竹材は、時世的に益々入手困難となる。
【先行技術文献】
【考案文献】
【０００４】
【考案文献１】
実用新案登録第２１４４２７６号公報
【考案文献２】
意匠登録第９４２９５３号公報
【考案文献３】
意匠登録第１００７７３１号公報し
【考案文献４】
意匠登録第１０２０３６号公報
【考案文献５】
実用新案登録第３１９１２８２号公報
【考案文献６】
商標登録第５６９９７２２４号公報
【考案の概要】
【考案が解決しようとする課題】
【０００５】従来の尺八は、管尾に設けた竹根茎の造形が著しく肉厚で、その重量が増すことによって、演奏者の技術に負担を生ずる欠点がある。【０００６】本考案は、従来の尺八がもつ課題を解決するものであり、重い竹根茎の造形を廃除し、新しい規格に改良して、軽くなった軽尺八を提供することを目的とする。
【課題を解決するための手段】
【０００７】本考案は、改良した規格を基に竹根茎を廃除し、管体の全長を同一外径の竹幹材を用いて、軽量化した軽尺八を提供することにより、解決しようとする課題が達成し得る。【０００８】従来の尺八を作る規格材料とは、天然竹の根茎を地中深く掘り起す特殊な労力が要り、容易に入手し難い竹材である。【０００９】本考案は、上記根茎付き規格竹材に代えて、市販で容易に入手ができる、根茎の付かない竹幹材で製作した軽尺八を提供し、課題を解決するための目的を達成し得る。
【考案の効果】
【００１０】本考案の軽尺八によれば、管体のすべてにおいて、平均的軽量を保ちバランスの良い演奏ができる。
【図面の簡単な説明】
【００１１】
【図１】本考案の一実施形態を示す、軽尺八の平面図である。
【図２】従来の尺八における、管尾に根茎を造形した例を示した平面図である。
【考案を実施するための形態】
【００１２】図面により、以下本考案の実施例を説明する。図１は、本考案の実施の一形態を示す軽尺八の平面図である。
【００１３】図面１に示すように、本考案の一実施形態に係る軽尺八の管体３は、管頭〜管尾にわたる全長が同一外径である。
【００１４】図面２に示す、管尾部に造形する根茎６は、従来尺八の象徴であり、荷物でもある。
【００１５】図１と２の管体３において、管長寸法が同一である場合は、音律は同じである。
【００１６】本考案である軽尺八の材料は、竹、木、プラスチック、金属、ガラス、合成樹脂材、陶器など軽尺八として使用できるものであれば特に限定されない。
【００１７】本考案は、従来尺八の軽量化を目的とし、それに代わる軽尺八の製作材料が、市販で容易に、しかも安価で入手ができ、これによって目的が達成し得たのである。
【符号の説明】１  管頭
２  歌口
３  管体
４  節部
５  管尾
６  根茎
【図１】
0003204591.tif 000003
【図２】
0003204591.tif 000004
【手続補正書】
【提出日】平成28年1月22日(2016.1.22)
【手続補正１】
【補正対象書類名】実用新案登録請求の範囲
【補正対象項目名】請求項３
【補正方法】変更
【補正の内容】
【請求項３】
材料は、木材、プラスチック、合成樹脂材、金属、陶器、又は、ガラスで施工する請求項１又は２記載の軽尺八。
【手続補正書】
【提出日】平成28年3月16日(2016.3.16)
【手続補正１】
【補正対象書類名】実用新案登録請求の範囲
【補正対象項目名】請求項３
【補正方法】変更
【補正の内容】
【請求項３】
材料は、竹材、木材、プラスチック、合成樹脂材、金属、陶器、又は、ガラスで施工する請求項１記載の軽尺八。
(57)【要約】      （修正有）【課題】アリスクリップ装備構造、またはアリスクリップ装備に対応可能な構造を持った製品の設置固定方式をウェビング構造、またはウェビング構造に対応可能な構造の製品の設置固定が可能な構造に変換するための変換装置を提供する。【解決手段】ウェビング構造、もしくはそれに対応可能な構造を表面に配置し、アリスクリップ装備に対応可能な方式構造を同一の物体の裏面に同時に設けた、表面裏面一体の二面構造を有したもの。【選択図】図１
0003204594.tif 000002
【実用新案登録請求の範囲】
【請求項１】
ウェビング構造、もしくはウェビング構造に対応可能な方式構造を表面に配置し、裏面にアリスクリップ装備に対応可能な方式構造を一つの物体に同時に設けた、全面後面の二面一体構造を有したアリスクリップ装備用ウェビング変換装置。
【考案の詳細な説明】
【技術分野】
【０００１】本考案はアリスクリップ装備という方式構造、またはアリスクリップ装備に対応可能な構造を持った製本の設置固定方式をウェビング構造、またはウェビング構造に対応可能な構造の製品を設置固定が可能な構造に変換するための道具に関する。
【技術背景】
【０００２】軍事関連技術より派生した方式構造で、主に布製品またはそれに準じた樹脂製品において、その方式構造を持った製品同士を設置固定するためのものである。呼称はモール、ウェビング、パルスウェビング、ラック等様々なものが存在する。ここでは、代表として今現在、最も広く使われているウェビングという呼称を使用する。ウェビング構造は、ある一定の広さの布製品またはそれに準じた樹脂製品の表面において縦幅約２．５ｃｍの布テープを全長は任意として、約３．７ｃｍの横幅間隔で縫製等の方法で仕切ると同時に固定し、それに平行になるように約２．５ｃｍの間隔を取り同一の製品の表面に同様の加工を施した布テープを一列から複数列配置した構造を持つもの。
【０００３】ウェビング構造に対し、同じく軍事技術より派生した類似方式にアリスクリップ装備という方式構造が存在する。アリスクリップ装備構造は同一規格の製品同士を金属製のアリスクリップを使用して挟み込み固定するために、ある一定の広さの布製品またはそれに準じた樹脂製品の表面において縦幅約５．８ｃｍの布テープを全長は任意として、約２．５ｃｍの横幅間隔で縫製等の方法で仕切ると同時に固定し、それに平行になるように同一の製品の表面に同様の加工を施した布テープを一列から複数列配置した構造を持つもの。これを基準として、縦幅を半分程度で区切ることで装備の取り付け位置をより細かく設定することが可能なものも存在する。
【考案が解決しようとする課題】
【０００４】ウェビング構造、またはウェビング構造に対応可能な製品をアリスクリップ装備の規格への設置固定は、構造上の差異により、通常使用に支障をきたす程度の固定度合いしか得られない等の他に設置固定を意図した位置から移動してしまう等の不具合が生じる。
【課題を解決するための手段】
【０００５】ウェビング構造、もしくはそれに対応可能な構造を表面に配置した物体の裏面にアリスクリップ装備に対応可能な方式構造を同一の物体に同時に設けた、表面裏面一体の二面構造を有したもの。この構造により上記の課題を解決する手段とする。
【考案の効果】
【０００６】ウェビング構造、もしくはそれに対応可能な構造を表面に配置した従来のものには、その裏面にアリスクリップ装備に対応可能な方式構造を同一の物体に同時に設けた、表面裏面一体の二面構造を有していない。そのため通常使用に耐える程度の設置固定が不可能であった。
【考案を実施するための最良の形態】
【０００７】ウェビング構造、もしくはそれに対応可能な構造を表面に配置した物体の裏面にアリスクリップ装備に対応可能な方式構造を同一の物体に同時に設けた、表面裏面一体の二面構造を有したもの。
【図面の簡単な説明】
【０００８】
【図１】表面図
【図２】裏面図
【図１】
0003204594.tif 000003
【図２】
0003204594.tif 000004
【手続補正書】
【提出日】平成28年3月20日(2016.3.20)
【手続補正１】
【補正対象書類名】実用新案登録請求の範囲
【補正対象項目名】全文
【補正方法】変更
【補正の内容】
【実用新案登録請求の範囲】
【請求項１】
モール・ウェビング構造を表面に配置し、裏面にアリスクリップ装備構造を一つの物体に同時に設けた、前面後面の二面一体構造を有したアリスクリップ装備用モール・ウェビング変換装置。
(57)【要約】【課題】ペットとスキンシップをとりながら、顔の周辺等デリケートな部分でも、ペットを怖がらせずにブラッシングできる小動物ペット用ブラシを提供する。【解決手段】指に装着させる本体１と、本体１から突出するブラシ部２とから成る。ブラシ部２を構成するブラシ毛は、馬、ヤギ等軟質の動物の天然毛を使用することが望ましい。本体１は通常、指に巻き付ける帯形状のもので、両端近傍に設置された面ファスナー等の着接部１１、１２を重ね合わせて接合することにより指に装着するが、輪状のバンド形式のもの、又は指サックのような袋状のものとすることもできる。本体１は指に密着させるため、伸縮性のある布質の素材を使用することが望ましい。【選択図】図１
0003204069.tif 000002
【実用新案登録請求の範囲】
【請求項１】
小動物ペット用ブラシであって、
前記ブラシを指に装着させる本体と、
前記本体から突出するブラシ部
とから成ることを特徴とする小動物ペット用ブラシ。
【請求項２】
前記ブラシ部を構成するブラシ毛は、軟質の動物の天然毛を使用することを特徴とする請求項１記載の小動物ペット用ブラシ。
【請求項３】
前記本体は帯形状をなし、長手方向両端部近傍に相対応する着接部を有し、前記帯形状の本体を指に巻き付け前記相対応する着接部を重ね合わせて接合することにより指に装着することを特徴とする請求項１又は２記載の小動物ペット用ブラシ。
【請求項４】
前記本体は伸縮性のある布質の繊維を素材とすることを特徴とする請求項１乃至３のいずれかに記載の小動物ペット用ブラシ。
【考案の詳細な説明】
【技術分野】
【０００１】
本考案は指先に装着して使用する小動物ペット用ブラシに関する。
【背景技術】
【０００２】
従来より「グルーミングブラシ」と称して、犬猫等小動物ペットのブラシが市販されている。前記小動物ペット用ブラシは、犬猫などの身体をブラッシングすることを目的にしたもので、図１に示すような柄がついているもの、図２のような束子型のものがある。
【０００３】
小動物ペット用ブラシに関する先行技術文献は、特許文献１に見られように、効率よく抜け毛を採取することを課題とするもの、又は特許文献２に見られように、抜け毛の飛散を防止すること、を課題とするものが多い。
【先行技術文献】
【特許文献】
【０００４】
【特許文献１】実用新案登録第３０９５７８５号
【特許文献２】特開２００８−２７９０９７
【特許文献３】特開平１０−１４６２１９
【考案の概要】
【考案が解決しようとする課題】
【０００５】
上述したように、従来の小動物ペット用ブラシは、動物の体全体をブラッシングすることを前提としており、先行技術文献においても、ペットの顔部分を怖がらせずにブラッシングすることができるブラシの提供を課題とするものはなかった。
【０００６】
特許文献３には、ミット（手袋）又は手の甲に巻き付ける帯を本体とし、該本体に対してブラシ部分を着脱自在にして、ペットの体を撫でる感覚で梳くことができる動物用整毛ブラシの発明が開示されている。該発明は、ペットを怖がらせず、また傷つけることなく、掌で撫でるようにしてブラッシングすることを課題とする点で本願考案の課題と類似するところであるが、次の２点の課題が残されていた。
【０００７】
第一に、ブラシ部分の本体への着脱を自在としたことで、ブラシの交換が容易になったが、梳き動作の支点が前記着脱部分に来るため、この部分に使用されている面ファスナーの汚れや劣化により、ブラシ部分が外れやすくなること。第二に、ブラシ部分の大きさを掌サイズとしているため、小動物の顔をブラッシングするには、ブラシサイズが大き過ぎること。特に目の周りのブラッシングには不向きである。ペットの顔、特に目鼻や耳の近辺をブラッシングするためには、より小さなブラシと、使用者のデリケートな指の動きが必要である。
【０００８】
上述の問題に鑑み、本考案では、ペットとスキンシップをとりながら、顔の周辺等デリケートな部分でも、ペットを怖がらせずにブラッシングできる小動物ペット用ブラシを提供することを課題とする。
【０００９】
上述の課題を解決するために、本考案に係る小動物ペット用ブラシは、指に装着させる本体と、前記本体から突出するブラシ部とから成ることを特徴とする。
【００１０】
前記ブラシ部を構成するブラシ毛は、馬、ヤギ等軟質の動物の天然毛を使用することが望ましい。また、前記本体は通常、指に巻き付ける帯形状のもので、両端近傍に設置された面ファスナー等の着接部を重ね合わせて接合することにより指に装着するが、輪状のバンド形式のもの、又は指サックのような袋状のものとすることもできる。前記本体は指に密着させるため、伸縮性のある布質の繊維を素材とすることが望ましい。
【考案の効果】
【００１１】
指先に装着できるようにしたことで、ペットとスキンシップをとりながら、顔周辺のデリケートな部分でも、指先の細やかな動きによって、ペットを怖がらせずにブラッシングできるようになった。
【００１２】
従来のグルーミングブラシで不可能であった、犬猫より小さなペットの体をブラッシングすることが可能となった。
【図面の簡単な説明】
【００１３】
【図１】現在使用されているグルーミングブラシの代表的な形状を示す斜視図である。
【図２】現在使用されているグルーミングブラシの図１以外の代表的な形状を示す斜視図である。
【図３】本実施形態の小動物ペット用ブラシの斜視図である。
【図４】本実施形態の小動物ペット用ブラシの使用状態を示す概念図である。
【考案を実施するための形態】
【００１４】
本実施形態に係る小動物ペット用ブラシは、図１に示すように、ブラシを指に装着させる本体１と、本体１から突出するブラシ部２によって構成される。
【００１５】
本体１は、指を1周し端部が重なる程度の長さの帯形状を成し、指に巻いて仮固定できるよう、両端近傍にそれぞれ面ファスナーのフック部１１とループ部１２が設置されている。本体１の素材は、指の太さに関わらず指の周囲に密着するように伸縮性のある布材を使用している。
【００１６】
また、ブラシ部２には、先端を丸カットした軟質の馬毛を使用しており、ペットを傷つけることがないよう工夫を施している。
【００１７】
本実施形態においては、本体１は帯形状で両端を接合させて指に巻き付ける方式を採用したが、請求項１又は２の考案については、本体１を輪状のバンド形式又は指サックのような袋状のものとして実施することも可能である。また、着接部１１，１２の接合の方法についても、面ファスナー以外の着接具を使用しての実施も可能である。
【符号の説明】
【００１８】
１      本体
１１    着接部Ａ（面ファスナーフック部）
１２    着接部Ｂ（面ファスナーループ部）
２      ブラシ部
【図１】
0003204069.tif 000003
【図２】
0003204069.tif 000004
【図３】
0003204069.tif 000005
【図４】
0003204069.tif 000006
(57)【要約】      （修正有）【課題】融点の高いゼリー（ジェル）ワックスの中に、火事の危険なく安全、かつ融解することなく製作者の意図に沿った美観を有する装飾物を充填したキャンドルを提供する。【解決手段】装飾物５は大部分が上部ワックス層３に充填され、下部の一部が下部ワックス層４に充填されており、下部ワックス層４は大部分が装飾物５の下部に存在することになる。大豆ワックスは略白色であり、これを下部ワックス層４に用いると装飾物５の色彩を引き立たせることが可能である。なお、装飾物５は大部分が下部ワックス層４に充填され、上部の一部が上部ワックス層３に充填される形態でも良い。上部ワックス層３、下部ワックス層４及び装飾物５の色彩をわかりやすくするために、容器２は透明であることが好ましいが、透明でなくても天井方向に開口２Ａを有していれば、上方向（天井方向）から見た際に装飾物５の色彩を引き立たせることが可能である。【選択図】図２
0003204020.tif 000002
【実用新案登録請求の範囲】
【請求項１】
ゼリー（ジェル）ワックスと略白色または淡色であるワックスで積層されたワックス層に、ゼリー（ジェル）ワックスよりも融点の低いワックスで形成された装飾物が充填されていることを特徴とするキャンドル。
【考案の詳細な説明】
【技術分野】
【０００１】本考案は、ゼリー（ジェル）ワックスに蜜蝋やパラフィンワックスで形成された装飾物が充填されたキャンドルに関するものである。
【背景技術】
【０００２】キャンドルは主にワックス（蝋）で形成されており、外観に特徴をもたせたものとして、ワックスを積層、例えば２層または３層としているものがある（特許文献１参照）。
また製作者の意図に沿った美観を有するように、貝殻のような装飾物をワックス層に充填しているものがある（特許文献２参照）。
【先行技術文献】
【特許文献】
【０００３】
【特許文献１】特開２０１０−２４２０４８号公報
【特許文献２】特開２０１４−４７３１５号公報
【考案の概要】
【考案が解決しようとする課題】
【０００４】ゼリー（ジェル）キャンドルの中に充填させる装飾物として、紙や木など燃えるものを入れると火事の危険性が懸念されるため、特許文献２のように貝殻のような燃えないものを入れるのが常であるが、製作者の意図に沿った美観のキャンドルを製作する際に、オリジナリティのある装飾物の加工が難しい場合がある。
よって、充填するものとして、様々な加工が可能な材料を使った装飾物を途中で融解しないように充填させ、火事の危険性がないキャンドルを提供することが課題である。
【課題を解決するための手段】
【０００５】上記課題を解決するために本考案は、ゼリー（ジェル）ワックスと略白色または淡色であるワックスで積層されたワックス層に、ゼリー（ジェル）ワックスよりも融点の低いワックスで形成された装飾物が充填されていることを特徴とする。また高い融点のジェルワックスの中にそれよりも低い融点の装飾物を入れるため、途中で融解する恐れがあるが、ジェルワックスを入れるタイミングと積層することにより解決する。
【考案の効果】
【０００６】加工がしやすい融点のワックスで装飾物を形成するため、製作者の意図に沿った美観を有し、点灯の際も安全なキャンドルを提供することが可能である。
かつ装飾物の下部にあるワックス層を略白色または淡色とするため、装飾物の色彩を引き立たせることが可能である。
【図面の簡単な説明】
【０００７】
【図１】本考案のキャンドルの構造を示す平面図である。
【図２】図１におけるＡ−Ａ断面図である。
【考案を実施するための形態】
【０００８】以下、本考案のキャンドルを図面により説明する。なお実用新案登録請求の範囲を以下の記載に限定するものではない。
【０００９】図１は本考案のキャンドルの構造を示す平面図、図２は図１におけるＡ−Ａ断面図であり、これらの図に示すようにキャンドル１は、天井方向に開口２Ａを有した容器２の内部に上部ワックス層３及び下部ワックス層４が積層され、上部ワックス層３及び下部ワックス層４に装飾物５が充填され、上部ワックス層３、下部ワックス層４及び装飾物５を貫通するように芯６が設けられている。
【００１０】装飾物５はワックス（蝋）で形成されている。装飾物５として好ましいものに蜜蝋やパラフィンがあげられる。蜜蝋の融点は約６６度前後であり、パラフィンの融点も６０度前後であるため家庭でも加工がしやすく、製作者の意図に沿った美観を有するようにキャンドル１を製造しやすい。
図２に示す装飾物５はバラをモチーフとしたものであるが、花びらのような複雑な形状でも、蜜蝋やパラフィンワックスであれば細かく表現することが可能である。
【００１１】上部ワックス層３はゼリー（ジェル）ワックスを用いる。
下部ワックス層４は略白色または淡色のワックスを用いる。大豆ワックスが好ましいが、パラフィンなど、どのワックスでも可能である。
ゼリー（ジェル）ワックスの融点は８０度前後と高温のため、蜜蝋やパラフィンで製作した装飾物５が融解しないように、タイミングと量に気をつけながら積層する。
【００１２】図２に示すように、装飾物５は大部分が上部ワックス層３に充填され、下部の一部が下部ワックス層４に充填されており、下部ワックス層４は大部分が装飾物５の下部に存在することになる。
大豆ワックスは略白色であり、これを下部ワックス層４に用いると装飾物５の色彩を引き立たせることが可能である。
特に図２に示すバラのような赤や黒系統の色彩を有するものをモチーフにした装飾物５の場合は、その効果が顕著である。
なお、装飾物５は大部分が下部ワックス層４に充填され、上部の一部が上部ワックス層３に充填される形態でも良い。
【００１３】上部ワックス層３、下部ワックス層４及び装飾物５の色彩をわかりやすくするために、容器２は透明であることが好ましいが、透明でなくても天井方向に開口２Ａを有していれば、上方向（天井方向）から見た際に装飾物５の色彩を引き立たせることが可能である。
なお、容器２を用いない場合は、上部ワックス層３、下部ワックス層４及び装飾物５の色彩が最もわかりやすくなるので、このように使用しても良い。
【００１４】なお、図１及び２では、積層されたワックス層は、上部ワックス層３と下部ワックス層４の２層からなる場合を示したが、上記の本考案の主旨に沿って３層以上で構成しても良い。
【符号の説明】
【００１５】１    キャンドル
２    容器
２Ａ  開口
３    上部ワックス層
４    下部ワックス層
５    装飾物
６    芯
【図１】
0003204020.tif 000003
【図２】
0003204020.tif 000004
(57)【要約】      （修正有）【課題】屋内外において着座するしないの如何を問わず、付け外しの手間暇をかけることなくどのような床面でも確実に、しかも安定的かつ容易に傘を自立させることで両手を解放し、煩わしさ・不便さを解消できる着脱式傘立てを提供する。【解決手段】着脱式傘立て５は、傘の先端に取り付けるための筒１に石突差し込み部４としての穴を中央上部から中央下部まで開けたうえで、穴の周辺部に上部縦方向のスリット２を入れ、さらに筒１の底部に足置き部３−Ｂを含む最小限の面積を有するプレート３の中央部を貼り付けた構造を持つ。この構造により使用者は、立っている時も着座した時も確実に、しかも安定的かつ容易に傘を自立させることができる。さらに降雨時に傘を差す際には装着したままでも使用できるよう軽量、また固定式傘立て収納時や傘袋に入れる時には容易に着脱できる。【選択図】図１
0003204011.tif 000002
【実用新案登録請求の範囲】
【請求項１】
本考案は、傘の先端に取り付けるための筒に石突差し込み部としての穴を中央上部から中央下部まで開けたうえで、穴の周辺部に上部縦方向のスリットを入れ、さらに前記筒の底部に足置き部を含む最小限の面積を有するプレートの中央部を貼り付けた構造を持つ、着脱式傘立て。
【考案の詳細な説明】
【技術分野】
【０００１】  本考案は、傘の先端に取り付けることにより、屋内外および電車内等において手を使うことなく傘を床や地面に安定的かつ容易に自立させることができる着脱式傘立てに関する。
【背景技術】
【０００２】  従来、傘を持って例えば電車やバスに乗車した場合、立っている時も着座した時も手に持っているか乗車位置に応じて近くの手摺りに引っ掛けたり壁面に立て掛けるなどの方法しかなく、片手が塞がることにより読書及び携帯機器操作時や鞄を併せ持つ際に煩わしさを感じることも多いうえ、置き忘れの原因になるなど不便を感じることが多かった。【０００３】  ただし発明・考案の進歩により、着座時に大腿と座席の間に器具を挟んで傘を立てる装置（例えば特許文献１参照）や、傘の石突に筒状ゴムを取り付け吸盤を使って床面に吸着させる器具（例えば特許文献２参照）は既に考案されている。
【先行技術文献】
【特許文献】
【０００４】
【特許文献１】実登３１１５４６５
【特許文献２】実登３１２４１３３
【考案の概要】
【考案が解決しようとする課題】
【０００５】  しかし以上述べた従来の傘立てでは、大腿と座席の間に装置を挟み込む仕組みのため着座時のみ有用（特許文献１）であったり、吸盤を使って筒状ゴムを床面に吸着させる場合（特許文献２）、付け外しの際に手間暇がかかること並びに床面の素材によっては吸着できないことが予想されるなどの不便・不安も想定される。【０００６】  本考案はこのような従来の構成が有していた問題を解決しようとするものであり、屋内外において着座するしないの如何を問わず、付け外しの手間暇をかけることなくどのような床面でも確実に、しかも安定的かつ容易に傘を自立させることで両手を解放し、煩わしさ・不便さの解消を目的とするものである。
【課題を解決するための手段】
【０００７】  本考案は上記目的を達成するため、傘の先端に取り付けるための筒に石突差し込み部としての穴を中央上部から中央下部まで開けたうえで、穴の周辺部に上部縦方向のスリットを入れ、さらに前記筒の底部に足置き部を含む最小限の面積を有するプレートの中央部を貼り付けた構造を持つものとする。
【考案の効果】
【０００８】  上記の課題解決手段により、筒の底部に貼りつけたプレートの足置き部を単に足で踏むだけで、屋内外において例えば電車内等振動の激しい状況でも着座するしないの如何を問わず、また吸盤を使っての床面吸着時に予想される付け外しの手間暇や床面素材によっては吸着できないなどの不安・不便を感じることなく確実に、しかも安定的かつ容易に傘を自立させることができる。【０００９】  また多様な種類の傘の石突に容易に着脱できるうえ、降雨時には装着したままでも傘をそのまま使用できる。【００１０】  したがって特に降雨時以外において、これまで傘所持により塞がっていた手が解放され、その分例えば電車に乗る際、読書や携帯機器操作時および他の荷物を併せ持っている時に感じていた不便さや煩わしさを解消することができる。
【図面の簡単な説明】
【００１１】
【図１】本考案の実施形態を示す着脱式傘立ての外観図
【図２】本考案を上方から見た平面図
【図３】本考案に傘を差し込んだ状態のＡ−Ａ断面図
【図４】本考案を立った姿勢で使用した実施例
【図５】本考案を降雨時に傘に装着したまま使用した実施例
【考案を実施するための最良の形態】
【００１２】  以下、本考案の実施の形態を図に基づいて説明する。【００１３】  図１は本考案である着脱式傘立て５の外観図、図２は本考案を上方から見た断面図であるが、本考案は筒１の底部とプレート３の中央部を貼り付けた構造とする。【００１４】  筒１には中央上部から中央下部までの穴を開け、その部分を石突差し込み部４とする。【００１５】  また筒１には石突差し込み部４の周辺上部縦方向にスリット２を入れることにより、石突差し込み部４に伸縮幅をもたせ、傘の種類により異なる石突の直径や形状の違いのも対応できる構造とする。但し、スリット２の本数は筒１の弾力性に応じ、任意に設定できるものとする。【００１６】  筒１底部のプレート３は、接合部３−Ａの外側に足で踏むことができる足置き部３−Ｂを含む最小限の面積を有するサイズとする。【００１７】  また本考案全体として、降雨時には装着したままでも傘としての機能を失うことなく通常通り使用できるような形状・重量とする。【００１８】  尚、図示はしていないが、筒１及びプレート３の素材については特に固定するものではなく、筒１についてはゴムや樹脂、プレート３についてはアクリル板や金属など、本考案の効果を実現できるものであれば、最適な素材を選択できるものとする。合わせてプレート３の形状についても、接合部３−Ａと足置き部３−Ｂを包含するものであれば特に固定するものではない。【００１９】  図３は図１のＡ−Ａで切断した、石突差し込み部４に傘５の石突を差し込んだ状態を示す断面図である。【００２０】  以上の構造を有することにより本考案は、プレート３の足置き部３−Ｂを片足で踏んで傘５を自立させた実施例図４のように、例えば振動の激しい走行中の電車内において立っている状態でも確実に、しかも安定的かつ容易に傘を自立させることができるうえ、さらに図５の実施例のように、降雨時には本考案を装着したままでも傘５としての機能を失うことなく通常通り使用できる。
【符号の説明】
【００１８】    １  筒
２  スリット
３  プレート
３−Ａ  接合部
３−Ｂ  足置き部
４  石突差し込み部
５  着脱式傘立て
６  傘
【図１】
0003204011.tif 000003
【図２】
0003204011.tif 000004
【図３】
0003204011.tif 000005
【図４】
0003204011.tif 000006
【図５】
0003204011.tif 000007
(57)【要約】      （修正有）【課題】本考案は画面付き携帯通信機器の従来の置き方での音を数段に向上した音量で聞く事ができる画面付き携帯通信機器音響スタンドを提供する。【解決手段】本考案は筒状のスタンドをテーブル及び机に立てる。筒状の中央に画面付き携帯通信機器を立て掛け、音源を入れると少量の音や音楽等が下部及び筒状のスタンドに集約反響して、音響効果が上がる。【選択図】図１
0003204013.tif 000002
【実用新案登録請求の範囲】
【請求項１】
画面付き携帯通信機器の少量の音量を筒状のスタンドに立て掛ける事により音響が格段に上昇し、なおかつ充電エネルギーを抑えられる特徴とする画面付き携帯通信機器音響スタンドである。
【考案の詳細な説明】
【技術分野】
【０００１】  本考案は、画面付き携帯通信機器の少量音での音響効果を向上させた画面付き携帯通信機器音響スタンド製品に関するものである。中でもスピーカーが、下部にある画面付き通信機器には、最上の効果を発揮する。音楽等には、より効果的である。
【背景技術】
【０００２】  画面付き携帯通信機器での、音楽等を聞く場合に音量を最大にしがである。音が周囲に拡散されよい音量が得られない。よって充電量も早期に消耗しがちである。
【特許文献】
【０００３】
【非特許文献】
【０００４】
【考案の概要】
【考案が解決しようとする課題】
【０００５】  画面付き携帯通信機器の画面上を上にむけて置くと音楽等の音響が、広い空間の周囲に拡散するが、携帯通信機器音響スタンドを使用する事により音響が下部面と筒状に反響集約し少量音源にて、音響効果が期待でき、尚且つ電源量の持続性も期待できる。すなわち小さなステレオ状態になる。
【課題を解決しようとする手段】
【０００６】  本考案は、筒状のスタンドに立て掛ける事により、画面付き携帯通信機器から、発せられる少量音の音響効果を向上させる。
【考案の効果】
【０００７】  上に述べたように画面付き携帯通信機器を筒状のスタンドに立て掛ける事により本体から発せられる音や音楽等の音響効果が数段に向上する。その事により通常の音量より抑える事が出来充電残量も持続出来る。
【図面の簡単な説明】
【０００８】
【図１】  本考案の画面付き携帯通信機器音響スタンドの一実施例を示す正面図です。
【図２】  本スタンドの一部切欠断面図である。
【考案を実施するための形態】
【０００９】  机及びテーブルなどに画面付き通信機器音響スタンドの空洞が、上になるように置きます。筒状の中に携帯通信機器の画面状が上に斜め状に立て掛けます。
【実施例】
【００１０】  以下添付図面に従って一実施例を説明する。本体は、音響効果を得る為に筒状のスタンドに画面付き携帯通信機器の画面が上になるように斜めに立て掛ける。
【産業上の利用可能性】  昨今、画面付き携帯通信機器は、若者をはじめ普及率が著しい。エネルギーも節約効果でき、画面付き携帯通信機器での音源使用にも幅が広がると確信しております。日常生活においても音楽等の良音を身近に楽しむことが出来潤いが得られる。
【符号の説明】
【００１１】  １  画面付き携帯通信機器音響スタンド側面
２  画面付き携帯通信機器音響スタンド上面
３  画面付き携帯通信機器音響スタンド内面
【図１】
0003204013.tif 000003
【図２】
0003204013.tif 000004
(57)【要約】【課題】傷に絆創膏を貼付し、傷が治癒した後に入浴等の日常生活の中で溶解させ、絆創膏の剥離行為を無くすことで剥離時の痛みや皮膚刺激のでない絆創膏を提供する。【解決手段】水溶性シート状基材の一面に水溶性粘着剤を塗布し、適切な期間で溶解する水溶性シート状基材と水溶性粘着剤の組合せを特徴とする絆創膏。【選択図】図１
0003204096.tif 000002
【実用新案登録請求の範囲】
【請求項１】
水溶性シート状基材の一面に水溶性粘着剤が塗布された絆創膏。
【請求項２】
水溶性シート基材はデンプン、ペクチン、寒天、アルギン酸、ガム類、デキストリン、プルラン、ゼラチン、メチルセルロース、カルボキシメチルセルロース、ヒドロキシエチルセルロース、ポリアクリル酸ナトリウム、ポリアクリルアミド、ポリビニルアルコール、ポリエチレンイミン、ポリエチレンオキシド、ポリビニルピロニドンの何れか１つの層もしくは複数の層からなる請求項１記載の絆創膏。
【請求項３】
水溶性粘着剤はゼラチン、デンプン、デキストリン、アラビアゴム、ポリビニルアルコール、ポリビニルピロリドン、ラテックス、ポリアクリル酸、ポリビニルアセトアミドの何れか１つの層もしくは複数の層からなる請求項１〜２記載の絆創膏。
【請求項４】
水溶性シート基材の水への溶解速度が水溶性粘着剤の水への溶解速度より遅い請求項１〜３のいずれかに記載の絆創膏。
【考案の詳細な説明】
【技術分野】
【０００１】
本考案は、創に貼った絆創膏を一度も剥がすことなく治癒をさせ、日常生活をする中で自然に消失し、傷が治った後も剥がす行為が不要であり、極めて低刺激な絆創膏に関するものである。
【背景技術】
【０００２】
創が治ったと思い絆創膏を剥がすときに、折角治りかけた創を再度傷つけることがある。そのような場合には痛みも伴うため、小さな子供の場合は泣いたりして非常に苦痛を与える場合がある。絆創膏のパッドを非固着性素材にするなどして、創とパッドの固着性を低減させることも一般的に行われているが、肉芽形成を起こしながら治癒する創の場合は非固着性の素材を用いても、絆創膏の交換時に創傷部位とパッドの固着を完全に防ぐことは難しく、交換時に痛みを伴うことがよく経験されることである。また、絆創膏の粘着力により、皮膚が脆弱なお年寄りの方の場合は、剥がす際に皮膚剥がれ等の皮膚刺激が起きることもある。皮膚刺激を抑えた低粘着力の粘着剤も考案されているが、絆創膏を剥離する際に角質剥離や物理的皮膚刺激を完全に防ぐのは極めて難しい（特許文献1）。
【先行技術文献】
【特許文献】
【０００３】
【特許文献１】特開２００９−２６１７２７号公報
【考案の概要】
【考案が解決しようとする課題】
【０００４】
このような非固着性素材の変更や低粘着力粘着剤への変更では固着、痛み、皮膚刺激からの完全な回避はできないと考え、一度傷に貼れば、交換することなく治癒し、さらに治癒後は自然に消失していくという絆創膏の剥離が不要な低刺激な絆創膏を提供するものである。
【課題を解決するための手段】
【０００５】
本考案は、上記課題を解決するために、水溶性シート状基材の一面に水溶性の粘着剤層が形成されており、使用時に水溶性シート状基材から徐々に溶解し、その後に粘着剤層も溶解することで、最終的に皮膚から自然に消失する絆創膏である。
【考案の効果】
【０００６】
本考案の絆創膏を傷に直接貼付することで、日常生活においての入浴等により徐々に溶解し、自然に消失することで、絆創膏を剥がすことが不要となり、剥がす際の痛みや皮膚刺激を回避することが可能となる。
【図面の簡単な説明】
【０００７】
【図１】本考案の傷が治った後も剥がさなくてよい救急絆創膏の図である。
【考案を実施するための形態】
【０００８】
本考案は水溶性シート状基材の一面に水溶性の粘着剤を塗布した絆創膏であって、適切な期間で溶解する水溶性の基材と水溶性の粘着剤の組合せに特徴を有する。
【０００９】
本考案の水溶性シート状基材の材質としては、天然ポリマー（デンプン、ペクチン、寒天、アルギン酸、ガム類、デキストリン、プルラン、ゼラチン）、半合成ポリマー（メチルセルロース、カルボキシメチルセルロース、ヒドロキシエチルセルロース）、合成ポリマー（ポリアクリル酸ナトリウム、ポリアクリルアミド、ポリビニルアルコール、ポリエチレンイミン、ポリエチレンオキシド、ポリビニルピロニドン）などが使用される。これら水溶性シート状基材は、日常生活において入浴回数７回程度を想定した４０℃、３０〜４２０分で溶解するように厚さ調整された水溶性シート基材が好ましい。また、これらの材質のシートを２種以上積層してもよい。
【００１０】
本考案の粘着層を構成する水溶性粘着剤としては、ゼラチン、デンプン、デキストリン、アラビアゴム、ポリビニルアルコール、ポリビニルピロリドン、ラテックス、ポリアクリル酸、ポリビニルアセトアミドなど使用される。これら水溶性粘着剤は日常生活において入浴回数７回程度を想定した４０℃、３０〜４２０分で溶解するように厚さが調整された水溶性粘着剤が好ましい。また、これらの粘着剤を２種以上積層してもよい。傷の治る迄は絆創膏として傷へ貼付しておくことが必要であることから、水溶性粘着剤の溶解速度は水溶性シート基材の水への溶解速度より遅い方が好ましい。水への溶解速度とは４０℃の一定量の温水中で一定の攪拌速度で攪拌した際に、同じ厚さになされた水溶性シート基材および水溶性粘着剤が外観上で完全に溶解するまでの時間である。
【００１１】
本考案の絆創膏の形状は傷に貼付できれば、その形状は特に限定しない。一度傷に貼れば、一般の救急絆創膏のように剥がす必要がなく、剥離時の刺激や皮膚へのダメージを回避できる効果が期待できる。
【産業上の利用可能性】
【００１２】
本考案は救急絆創膏として利用することができる。
【符号の説明】
【００１３】
１．水溶性シート基材
２．水溶性粘着剤
【図１】
0003204096.tif 000003
(57)【要約】      （修正有）【課題】従来の手法での金彩、彩色、沈金加工、又は、蒔絵等の加飾図柄、図案よりも更に華麗さ、豪華さに加え、耐久性に優れる加飾板を提供する。【解決手段】基材Ａとなる板に１層目となるヤニ止めＢとポリエステル塗装Ｃを行い、０．５ｍｍ〜１．５ｍｍ厚の塗膜を形成し、硬化後、塗膜表面に彫刻Ｄを施し、金彩、彩色を施用し、２層目となるポリエステル塗膜Ｂ１、Ｃ１を形成し、硬化後、彫刻Ｄ１を施し、金彩、彩色を施用し、３層目となるポリエステル塗膜Ｂ２、Ｃ２を形成し、硬化後、彫刻Ｄ２を施し、金彩、彩色を施用し、４層目となるポリエステル塗膜Ｂ３、Ｃ３を形成し、彫刻Ｄ３を施し、金彩、彩色を施用し、表面となるポリエステル塗膜Ｂ４、Ｃ４を形成し、硬化後、バフによるみがき仕上げを行うことにより、表面の光沢、透明性、耐久性に優れ、図柄、図案の奥行が生まれる。【選択図】図１
0003204031.tif 000002
【実用新案登録請求の範囲】
【請求項１】
ツキ板または和紙を貼った基材にポリエステル系樹脂による塗膜を形成後、塗膜に彫刻、金彩、彩色等の沈金加工を施し、図柄、図案により塗膜層を増加させ、各塗膜層で施用する図案、図柄を完成させ、仕上げ上塗りも同ポリエステル系樹脂を塗布し、みがき仕上げを行い、装飾塗膜構造を特徴とする加飾板。
【考案の詳細な説明】
【技術分野】
【０００１】  本考案は、仏壇、仏具に用いる沈金加工や蒔絵の表面をポリエステル樹脂で覆った加飾板に関するものである
【背景技術】
【０００２】  仏壇、仏具等において、金彩、沈金、更には蒔絵などは塗装処理された表面に彫刻、又は、直接画き、加飾された表面保護処理がなされていない状態である。
【先行技術文献】
【特許文献】
【０００３】
【特許文献１】  特開２００５−６７１７５
【特許文献２】  特開２０１３−５２５９１
【考案の概要】
【考案が解決しようとする課題】
【０００４】  金彩、沈金、更には、蒔絵などを使用した仏壇、仏具などは高額な傾向にあるが、塗装された表面に図柄等を平面的に画き、又、画かれた表面の保護処理がなされていない為、耐久性が劣る。従って、透明性の高い樹脂に図柄等の彫刻をし、金彩、沈金、蒔絵等を施用した後に同じ樹脂で覆い、更に、その樹脂に図柄等の加飾加工を施し、表面を同じ樹脂で覆うことで加飾された表現に奥行が生まれ、耐久性の向上が可能になり、前述の欠点を解決しようとするものである。
【課題を解決するための手段】
【０００５】  本考案は、加飾する基材板に、ツキ板、又は、和紙を貼り、その表面にポリエステル系樹脂を塗布し、硬化後表面に図柄等の彫刻をし、彫刻された部分に水性塗料で着色をし、表面を研磨後、その表面にポリエステル系樹脂を塗布、更に表面に図柄等を彫刻後、金彩、沈金加工を行う工程を複数回行う事により、奥行の有る表現が可能になる。又、最終表面を同じポリエステル系樹脂で覆い、みがき仕上げを行う事により、基材であるツキ板、又は、和紙までも鮮やかに見え、更に各塗膜層の中に加飾されているため耐久性の向上につながり、問題点を解決している。
【考案の効果】
【０００６】  上述の様に、複数層あるポリエステル系樹脂の一層、一層に金彩、色彩による沈金加工を行う事により、奥行の有る図柄となる。又、ポリエステルみがき仕上げを行う事により、沈金加工された図柄と表面の光沢が半永久であるとともに、耐久性にも優れ、取扱いも容易である。
【図面の簡単な説明】
【０００７】
【図１】本考案の沈金重ね塗りの一実施例を示す立体図である。
【図２】本沈金重ね塗りの一実例を示す正面図である。
【実施例】
【０００８】  木材やＭＤＦを主体とする基材の表面を鉋掛けやペーパー等により平滑化し、唐木等のツキ板、又は、和紙を貼り、更に、ヤニ溶出防止兼ポリエステル系樹脂を密着させる目的でシーラ処理を行い、ポリエステル系の透明な約１ｍｍ厚の塗膜を形成する。約１ｍｍ厚の塗膜表面に０．２ｍｍ〜０．５ｍｍの深さで彫刻を施し、彫刻された部分に彩色を施し、彫刻部分以外に付いた色の除去と上にのせるシーラを密着させる目的でペーパー掛けを行う。その表面にシーラ塗布、次にポリエステル系樹脂を塗布し、目的の塗膜を形成し、図柄、図案などの奥になる部分からポリエステル樹脂層に彫刻を施す。この工程を２層から３層にかけて行い、図柄、図案を完成させた後、表面にポリエステル系の仕上げ塗装を行い、乾燥を行い、表面をペーパーにより平滑にし、バフによりみがき仕上げにする。
【符号の説明】
【０００９】  以下添付図面に従って一実施例を説明する。
Ａはツキ板、又は、和紙を貼った基材本体
Ｂはヤニ止めシーラ処理
Ｃはポリエステル塗膜
Ｄは彫刻
Ｂ１は２層目の下塗りシーラ処理
Ｃ１は２層目となるポリエステル塗膜
Ｄ１は彫刻
Ｂ２は３層目の下塗りシーラ処理
Ｃ２は３層目のポリエステル塗膜
Ｄ２は彫刻
Ｂ３は下塗りシーラ処理
Ｃ３はポリエステル塗膜
Ｄ３は最上部となる彫刻
Ｂ４は下塗りシーラ処理
Ｃ４は表面塗膜となるポリエステル塗膜
【図１】
0003204031.tif 000003
【図２】
0003204031.tif 000004
(57)【要約】      （修正有）【課題】外観がきれいで、独自なデザインを持ち、操作と装着が簡単で、使いやすく、密封性に優れ、スプレー効果がよく、香水など同類製品の保存に向き、人々のニーズを満たす香水スプレーを提供する。【解決手段】香水スプレー本体、噴水装置、ガイドポール、ガイドブロック、中間フレーム、カムスプリング、下カム、上カム、ねじ、上カバー、突起、溝からなり、香水スプレー本体１の開口に噴水装置２があり、噴水装置の上端はガイドポール３とガイドブロック４に固着され、ガイドブロックにより中間フレーム５に装着され、ガイドブロックの上端はカムスプリング６と下カム７の突起１１により上カム８の溝１２と螺合され、また上カムはネジ９で固定され、中間フレームの上端に上カバー１０があり、また上カバーは上カムの溝と下カムの突起によりカムスプリングと螺合される。【選択図】図３
0003204040.tif 000002
【実用新案登録請求の範囲】
【請求項１】
香水スプレー本体（１）、噴水装置（２）、ガイドポール（３）、ガイドブロック（４）、中間フレーム（５）、カムスプリング（６）、下カム（７）、上カム（８）、ねじ（９）、上カバー（１０）、突起（１１）、溝（１２）からなり、
香水スプレー本体（１）の開口に噴水装置（２）があり、噴水装置（２）の上端はガイドポール（３）とガイドブロック（４）に固着され、ガイドブロック（４）により中間フレーム（５）に装着され、ガイドブロック（４）の上端はカムスプリング（６）と下カム（７）の突起（１１）により上カム（８）の溝（１２）と螺合され、
上カム（８）はネジ（９）で固定され、中間フレーム（５）の上端に上カバー（１０）があり、
上カバー（１０）は上カム（８）の溝（１２）と下カム（７）の突起（１１）によりカムスプリング（６）と螺合される、
ことを特徴とする新型の香水スプレー。
【考案の詳細な説明】
【技術分野】
【０００１】
本実用新案は新型の香水スプレーに関し、スプレー技術分野に属する。
【背景技術】
【０００２】
香水は、エッセンス、固定剤、アルコール、酢酸エチルを混合した液体であり、対象物（通常は人体の部位）に心地よい香りを長持ちさせるに用い、エッセンスは、草本植物から取り、蒸留法或いは冷浸法で抽出され、また、香りを持つ有機物を使用することもある。固定剤は、異なる香料を結合させるのに用いられ、バルサム、龍涎香と麝香猫とジャコウジカの腺体からの分泌物が含まれ、アルコールと酢酸エチルの濃度は、香水、オードトワレ、オーデゴロンにより異なり、香水の保存期限は、保存環境によって、直射日光を避けて、涼しい場所に置くと長く保存することができ、十数年乃至、百年以上も保存可能である。
【０００３】
現在、香水を保存する香水瓶の形式が多様化しているが、一部の香水瓶の設計は設計合理性に欠け、外観が普通で、独自なデザインがなく、密封性が悪く、装着と使用が不便で、スプレー効果が悪く、適用範囲が限られ、人々のニーズを満たすことができない。
【考案の概要】
【考案が解決しようとする課題】
【０００４】
上記の問題に対し、本実用新案は技術改善により新型の香水スプレーを提供する。
【課題を解決するための手段】
【０００５】
本実用新案は新型の香水スプレーを公開する。
香水スプレー本体、噴水装置、ガイドポール、ガイドブロック、中間フレーム、カムスプリング、下カム、上カム、ねじ、上カバー、突起、溝からなり、香水スプレー本体の開口に噴水装置があり、噴水装置の上端はガイドポールとガイドブロックに固着され、ガイドブロックにより中間フレームに装着され、ガイドブロックの上端はカムスプリングと下カムの突起により上カムの溝と螺合され、また上カムはネジで固定され、中間フレームの上端に上カバーがあり、また上カバーは上カムの溝と下カムの突起によりカムスプリングと螺合される。
【０００６】
好ましくは、上記の上カバーを使用する場合には、回すことが可能に構成され、９０°以上回すと自動的に１８０°回される。
【考案の効果】
【０００７】
本実用新案の効果
構造の設計は合理的で、外観がきれいで、独自なデザインを持ち、操作と装着が簡単で、使いやすく、密封性に優れ、スプレー効果がよく、香水など同類製品の保存に向き、人々のニーズを満たす。
【図面の簡単な説明】
【０００８】
【図１】本実用新案の構造図である。
【図２】図１の左側面図。
【図３】本実用新型分解構造図。
【図４】本実用新案の非使用状態時の断面図である。
【図５】本実用新案の使用状態時の断面図である。
【考案を実施するための形態】
【０００９】
わかりやすいように、本実用新案は下記の装着プロセスと付図を詳しく説明する。
図１〜図５が示すように、具体的装着プロセスは下記の技術的ソリューションを使用する。
香水スプレー本体（５）、噴水装置１、ガイドポール２、ガイドブロック３、中間フレーム（４）、カムスプリング（６）、下カム（７）、上カム（８）、ねじ（９）、上カバー（１０）、突起（１１）、溝（１２）からなり、香水スプレー本体（１）の開口に噴水装置（２）があり、噴水装置（２）の上端はガイドポール（３）とガイドブロック（４）に固着され、ガイドブロック（４）により中間フレーム（５）に装着され、ガイドブロック（４）の上端はカムスプリング（６）と下カム（７）の突起（１１）により上カム（８）の溝（１２）と螺合され、また上カム（８）はネジ（９）で固定され、中間フレーム（５）の上端に上カバー（１０）があり、また上カバー（１０）は上カム（８）の溝（１２）と下カム（７）の突起（１１）によりカムスプリング（６）と螺合される。
【００１０】
ここで、上カバー１０を使用する場合には、回すことが可能であり、９０°以上回すと自動的に１８０°回される。
【００１１】
構造の設計は合理的で、外観がきれいで、独自なデザインを持ち、操作と装着が簡単で、使いやすく、密封性に優れ、スプレー効果がよく、香水などの同類製品の保存に向いており、人々のニーズを満たす。
【００１２】
以上、本実用新案の基本原理と主要特徴とメリットを図示を加えて説明した。本実用新案は上記装着例の制限を受けず、上述装着例の取扱説明書の説明は本実用新案の原理のみを説明するものであり、本実用新案の要件と範囲に従う上では、本実用新案に変更と改善の可能性があり、これらの変更と改善は本実用新案の保護範囲に属することを、同業技術者は理解すべきである。本実用新案が請求する保護範囲は付随の請求の範囲、及び、それに相当する効果を有する物により定義される。
【符号の説明】
【００１３】
１    香水スプレー本体
２    噴水装置
３    ガイドポール
４    ガイドブロック
５    中間フレーム
６    カムスプリング
７    下カム
８    上カム
９    ねじ
１０    上カバー
１１    突起
１２    溝
【図１】
0003204040.tif 000003
【図２】
0003204040.tif 000004
【図３】
0003204040.tif 000005
【図４】
0003204040.tif 000006
【図５】
0003204040.tif 000007